(57)【特許請求の範囲】
【請求項１】
地表に立設された複数の支柱と、この支柱の上端に前後方向に突出されて該支柱と側面視Ｔ字形を形成するように取付けられた主梁と、この主梁間に架け渡された横梁と、該横梁を介して前記主梁に支持された屋根材とを備え、前記屋根材はその前後端部が前記主梁の前後端部よりもそれぞれ前後に張出された長さで形成されると共に、該屋根材の裏面には、前後方向に延びる補助梁が前記主梁の前後端部よりも前後に張出された長さで取付けられ、該補助梁が主梁間に架け渡された横梁に支持されていることを特徴とする簡易屋根構造物。
【請求項２】
前記請求項１に記載の簡易屋根構造物の施工方法であって、主梁から張出している屋根材の前端部又は後端部のいずれか一方、もしくは前端部及び後端部の両方において、主梁に至らない長さで横方向に沿って切断することにより、屋根材の前後方向の長さを調整して前記簡易屋根構造物を施工することを特徴とする簡易屋根構造物の施工方法。
【発明の詳細な説明】
【技術分野】
【０００１】
本発明は、自転車置場、カーポート、バス停留所、渡り廊下、地下道の入口、公園等の休憩所などに用いられる組立式の簡易屋根構造物に関するものである。
【背景技術】
【０００２】
従来、カーポート、バス停、シェルターなど簡易屋根構造物の屋根材取付け構造については、例えば特許文献１には、適宜間隔に立設した支柱の上端側間に屋根をかけ渡してなる屋根付自転車置場において、支柱上端側に傾斜を付けて屋根受け支持部材が設けられているとともに、この屋根受け支持部材上に、屋根受けが、屋根の張り出し方向に沿って支持位置の変更可能な取付手段で取付けられ、さらに前記屋根受け上に屋根が取付けられていることを特徴とする屋根の支柱支持位置の変更可能な屋根付自転車置場である簡易屋根構造物が開示されている。
【先行技術文献】
【特許文献】
【０００３】
【特許文献１】特開平９−３２３２９号公報
【発明の概要】
【発明が解決しようとする課題】
【０００４】
しかしながら、かかる従来の簡易屋根構造物においては、屋根の張り出し方向に沿って屋根を前後に移動させて屋根の位置を変更できるものの、屋根の奥行き寸法自体を変更することはできない構造であった。
【０００５】
本発明は、前記の如き課題を解消し、設置する現場において比較的容易な加工を施すことにより、屋根の奥行き寸法を自在に調整することができる簡易屋根構造物を提供せんとするものである。
【課題を解決するための手段】
【０００６】
上記目的を達成するために、本発明は次のような構成としている。
すなわち本発明に係る簡易屋根構造物は、地表に立設された複数の支柱と、この支柱の上端に前後方向に突出されて該支柱と側面視Ｔ字形を形成するように取付けられた主梁と、この主梁間に架け渡された横梁と、該横梁を介して前記主梁に支持された屋根材とを備え、前記屋根材はその前後端部が前記主梁の前後端部よりもそれぞれ前後に張出された長さで形成されると共に、該屋根材の裏面には、前後方向に延びる補助梁が前記主梁の前後端部よりも前後に張出された長さで取付けられ、該補助梁が主梁間に架け渡された横梁に支持されていることを特徴とするものである。
【０００７】
また、本発明に係る簡易屋根構造物の施工方法は、前記簡易屋根構造物の施工方法であって、主梁から張出している屋根材の前端部又は後端部のいずれか一方、もしくは前端部及び後端部の両方において、主梁に至らない長さで横方向に沿って切断することにより、屋根材の前後方向の長さを調整して前記簡易屋根構造物を施工することを特徴とするものである。
【発明の効果】
【０００８】
本発明に係る簡易屋根構造物によれば、屋根材はその前後端部が主梁の前後端部よりもそれぞれ前後に張出された長さで形成されると共に、該屋根材の裏面には、前後方向に延びる補助梁が前記主梁の前後端部よりも前後に張出された長さで取付けられ、該補助梁が主梁間に架け渡された横梁に支持されているので、主梁の前後方向の長さ以上であれば、屋根材の前後方向の長さにかかわらず、当該主梁に屋根材を取付けることができる。したがって、一種類の主梁を用意しておけば、当該主梁に、前後方向の長さの異なる複数種類の屋根材を施工現場に応じて適宜選択して取付けることができる。
【０００９】
また本発明に係る簡易屋根構造物の施工方法によれば、施工現場において、屋根の奥行きを短くしなければならない状況が起きた場合は、主梁から張出している屋根材の前端部又は後端部のいずれか一方、もしくは前端部及び後端部の両方において、主梁に至らない長さで横方向に沿って切断することにより、屋根材の前後方向の長さを調整することができるので、施工性が極めて向上する。
【図面の簡単な説明】
【００１０】
【図１】本発明に係る簡易屋根構造物の実施の一形態を示す、（イ）は斜視図、（ロ）は側面図である。
【図２】本発明に係る簡易屋根構造物の一部分解斜視図である。
【図３】図１におけるＡ−Ａ断面拡大図である。
【図４】本発明に係る簡易屋根構造物に用いられる補助梁の、（イ）は正面図、（ロ）は左側面の拡大図である。
【発明を実施するための形態】
【００１１】
次に、本発明を実施するための最良の形態について図面を参照し、具体的に説明する。
Ｐは簡易屋根構造物であって、１は下部が地中に埋設されて、左右方向に適宜間隔をおいて地表に立設された３本の支柱、２は各々の支柱１の上端に保持金具Ｋを介して前後方向に突出されて前記支柱１と側面視Ｔ字形を形成するように取付けられた主梁、３は主梁２の前端、後端及び中央に左右方向に架け渡して取付けられた横梁であって、左側の主梁２と中央の主梁２の間及び中央の主梁２と右側の主梁２の間にそれぞれ３本ずつ配置されている。４は横梁３を介して主梁２に支持された屋根材であり、該屋根材４はその前後端部４１、４２が前記主梁２の前後端部２１、２２よりもそれぞれ前後に張出された長さで形成されると共に、前記屋根材４の前後方向の長さに対応して、その屋根材４の裏面には、主梁２の前後端部２１、２２よりも前後に張出された長さで、前後方向に延びる補助梁５が取付けられ、該補助梁５が主梁２間に架け渡された横梁３に支持されている。本実施形態においては、横梁３に補助梁５が左右方向に６本配並設されている。
【００１２】
支柱１は断面円形の鋼管を適宜長さに切断して作製され、その上端部には、保持金具Ｋを介して主梁２を取付けるためのボルト孔が側面１１を貫通して穿設され、支柱１側壁の適宜箇所に取付具６１を介して縦樋６が取付られている。支柱１の材質は前記した鋼管に限るものではなく、アルミ合金押出型材等であってもよいが、強度的に安定でコストの安い鋼管が好適に用いられる。
【００１３】
主梁２は円形の鋼管を適宜長さに切断して作製され、主梁２の中央部を保持すると共に支柱１の上端部をも保持する保持金具Ｋを介して支柱１上端に取付けるためのボルト孔が主梁２の側壁を貫通して穿設されている。そして、主梁２の前端部２１上面と後端部２２上面と中央部２３上面とには、それぞれ横梁３を取着するためのＬ字型受け金具Ｋ１がそれぞれ取付けられている。尚、主梁２の材質は強度的に安定でコストの安い鋼管が好適に用いられる。
【００１４】
横梁３は、アルミ合金押出形材からなる管体が適宜長さに切断される等して作製されたものであって、外形が縦長の略矩形となされ、そしてその内部は仕切壁３１によって上下に仕切られて、二個の筒状部３２が上下に形成されているものである。そして横梁３の正面から背面に横方向に通孔が貫通され、その通孔とＬ字型受け金具Ｋ１とにボルトを挿通して締着され、主梁２の上下方向に穿設された取付孔とＬ字型受け具Ｋ１とに別のボルトを挿通して締着され、横梁３と主梁２とが固定されている。
【００１５】
また横梁３は、補助梁５と交差する位置において、該横梁３の上方の筒状部３２を形成する上面壁３３及び左右の側壁３４、３５の上部がそれぞれ一部切り欠かれて、前記仕切壁３１を底面とする切欠き部３６が形成されて、後述するように、該切欠き部３６に補助梁５が載置され、ネジＮ止めされるようになされている。
【００１６】
横梁３間に架け渡された屋根材４は、５個の並設された前後方向に長い長方形状の合成樹脂製の屋根板材４３からなるものであって、各屋根板材４３の前後左右の各辺にはアルミ合金型材が取付けられるようになされている。具体的には、屋根板材４３の左右の長辺側は、前記補助梁５によって、その端部を下側から受け止められ、また長辺側押え枠材４４によって、その端部を上側から押えられてなり、補助梁５上に屋根板材４３の左右端部を載置し、その上に長辺側押え枠材４４を載置した後、タッピングビス等のネジＮを長手方向に間隔をあけて複数箇所で螺入して、補助梁５と長辺側押え枠材４４とを固定し、屋根板材４３の左右端部を前後方向に挟みつけている。また屋根板材４３の前後の短辺側は、前側枠材４５及び後側枠材４６とによって、その端部が下側から受け止められ、また短辺側押え枠材４７によって、その端部を上側から押えられてなり、補助梁５の前後端にタッピングビス等のネジで固定された前側枠材４５と後側枠材４６上に屋根板材４３の前後端部を載置し、その上に短辺側押え枠材４７を載置した後、タッピングビス等のネジを長手方向に間隔をあけて複数箇所で螺入して、前側枠材４５及び後側枠材４６と短辺側押え枠材４７とを固定し、屋根板材４３の前後端部を左右方向に沿って上下方向に挟みつけている。
【００１７】
より詳細には、補助梁５は、横長の断面略矩形の管状部５１の下面が左右に水平方向に延設された延設部５２を備え、管状部５１の上面側の両肩部には上向きに開口した蟻溝５３が形成され、また管状部５１の上面中央部には前後方向に延びる２個の突設片５４が間隔をあけて上方に向けて突設されている。そして、前記蟻溝５３には断面が軌道のレール状に形成されたパッキン材５５が、そのくびれ部が前記蟻溝５３の開口縁に係止される様に挿入されている。
【００１８】
また長辺側押え枠材４４は、補助梁５の蟻溝５３と対向する位置に、下向きに開口した蟻溝４４１が２個形成され、補助梁５のパッキン材５５と同形のパッキン材４４２が、そのくびれ部が蟻溝４４１の開口縁に係止される様に挿入され、また下面中央部には前後方向に延びる２個の嵌合片４４３が間隔をあけて下方に向けて突設されており、該嵌合片４４３を補助梁５の突設片５４に嵌合させるようになされている。
【００１９】
かように補助梁５と長辺側押え枠材４４とを構成することによって、屋根板材４３の左右端部を補助梁５のパッキン材５５上に載置し、その上に長辺側押え枠材４４のパッキン材４４２を補助梁５のパッキン材５５と相対向するように載置すると共に、長辺側押え枠材４４の嵌合片４４３を補助梁５の突設片５４に嵌合させた状態で、長辺側押え枠材４４の嵌合片４４３の中央部にネジＮを螺入して、ネジＮのネジ部が補助梁５の２個の突設片５４間に螺入されて、上述の如く、屋根板材４３の左右端部が前後方向に沿って上下方向に挟みつけられて固定されている。なお、パッキン材４４２、５５には、一般にパッキンとして用いられる軟質合成樹脂やゴム等が適宜用いられており、屋根板材４３がパッキン材４４２、５５によって上下に挟みつけられ固定されているので、屋根板材４３が温度変化により膨張・収縮した場合でも、屋根板材４３が傷付くことが防止される。
【００２０】
保持金具Ｋは、支柱１と主梁２とを左右から挟んで保持する部分を備えた左右勝手違いの２個の板材からなり、その２個の板材をもって支柱１と主梁２とを左右から挟み、保持金具Ｋの側面をボルト・ナットで挟着することにより、支柱１の上端部１１に主梁２の中央部２３を固定している。従って、保持金具Ｋの内面は、それぞれ支柱１と主梁２の外形である円柱形に当接するように半円形状に形成されると共に、側面視でＴ字型に形成されている。また、保持金具Ｋの強度を向上させるため、保持金具Ｋの支柱１を保持する部分から主梁２を保持する部分にわたり、平担状の補強板部Ｋ２が、支柱１及び主梁２とを左右から挟んだ際に、補強板部Ｋ２が当接するように一体的に設けられている。
【００２１】
当該簡易屋根構造物Ｐの組立て方について説明する。
まず、３本の支柱１を立設させ、それぞれに主梁２を保持金具Ｋを用いて固定して、次いで横梁３を３本の主梁２の前端部２１、後端部２２及び中央部２３に左右方向に架け渡して受け金具Ｋ１を介して取付ける。その後、横梁３の切欠き部３１に補助梁５が載置され、補助梁５の延設部５２にネジＮを螺入して補助梁５を横梁３の嵌合片４４３にネジ止めし、補助梁５の前端部５６と後端部５７とに前側枠材４５と後側枠材４６とをネジ止めして、屋根板材４３の周囲を支持する矩形の升目状体に形成し、５個の屋根板材４３をその升目にそれぞれ載置した後、補助梁５の上側に長辺側押え枠材４４をネジＮ止めし、屋根板材４３を挟みこんで固定し、次いで前側枠材４５と後側枠材４６との上側に短辺側押え枠材４７をネジ止めして、簡易屋根構造物Ｐの組立てが完了する。
【００２２】
そして設置現場において、屋根材４の奥行き寸法を短くする必要がある場合には、屋根板材４３と、補助梁５、長辺側押え枠材４４とを、前後（奥行き）方向に所定の寸法に切断し、上述の如く簡易屋根構造物Ｐを組立てるだけで、屋根材の奥行き寸法を調整することができる。つまり、アルミ合金型材製の補助梁５、長辺側押え枠材４４、前側枠材４５、後側枠材４６、短辺側押え枠材４７、及び合成樹脂製の屋根板材４３を切断するのみであり、鉄鋼製の主梁２を切断することなく屋根材の奥行き寸法を調整することができるため、鉄鋼製の材料を切断した際に懸念される赤錆の発生等を防止することができ、好ましい。
【符号の説明】
【００２３】
１    支柱
１１  側面
２    主梁
２１  前端部
２２  後端部
２３  中央部
３    横梁
３１  切欠き部
３２  筒状部
３３  上面壁
３４  左側壁
３５  右側壁
３６  切欠き部
４    屋根材
４１  前端部
４２  後端部
４３  屋根板材
４４  長辺側押え枠材
４４１蟻溝
４４２パッキン
４４３嵌合片
４５  前側枠材
４６  後側枠材
４７  短辺側押え枠材
５    補助梁
５１  管状部
５２  延設部
５３  蟻溝
５４  突設片
５５  パッキン
５６  前端部
５７  後端部
６    縦樋
６１  取付具
Ｋ    保持金具
Ｋ１  受け金具
Ｋ２  補強板部
Ｎ    ネジ
Ｐ    簡易屋根構造物
【図１】
0005597109.tif 000002
【図２】
0005597109.tif 000003
【図３】
0005597109.tif 000004
【図４】
0005597109.tif 000005